(57)【要約】  ベッド体、複数枚のベッドパネル、頭部ベッドパネルが反転するように駆動する駆動器、モニタリングモジュール、駆動モジュール及び無線通信モジュールを含む電動ベッドであって、ユーザが鼾をかいていることをモニタリングモジュールが検知すると、駆動モジュールが駆動器を駆動して頭部ベッドパネルを鼾防止位置まで反転させ、鼾症状が減弱するかまたは停止した後、駆動器を駆動して頭部ベッドパネルを原位置に復帰させ、無線通信モジュールは駆動モジュールに電気的に接続され、無線通信モジュールはインテリジェント端末に無線接続され、インテリジェント端末は、ユーザにより鼾防止プログラムが設定されるとともに、無線通信モジュールに伝送し、かつ、無線通信モジュールはインテリジェント端末に鼾防止機能の応用状況を送信する。当該電動ベッドは、ユーザが鼾をかいていることをモニタリングモジュールが検知した後、自動的に指令を電動ベッドに送信し、それを鼾防止位置まで立ち上がらせ、鼾症状が減弱するかまたは停止した後、自動的に指令を電動ベッドに送信し、それを寝そべり位置に調整して、ユーザの睡眠の質を改善する。
2019504691.tif 000002
【特許請求の範囲】
【請求項１】
ベッド体と、
少なくともベッド頭部に近接した側の頭部ベッドパネルが反転可能な複数枚のベッドパネルと、
前記頭部ベッドパネルを反転させるように、一端が前記頭部ベッドパネルにヒンジ接続され、他端がベッド体にヒンジ接続される駆動器と、
圧力センサを含み、ユーザが鼾をかいている際に発生する規則的な圧力変化を通してユーザが鼾をかいているか否かを判断するモニタリングモジュール（１）と、
前記モニタリングモジュール及び前記駆動器に電気的に接続され、ユーザが鼾をかいていることを前記モニタリングモジュールが検知すると、前記駆動器を駆動して前記頭部ベッドパネルを鼾防止位置まで反転させ、鼾症状が減弱するかまたは停止した後、前記駆動器を駆動して前記頭部ベッドパネルを原位置に復帰させる駆動モジュール（２）と、
前記駆動モジュールに電気的に接続される無線通信モジュール（３）であって、前記無線通信モジュールはインテリジェント端末に無線接続され、前記インテリジェント端末は、ユーザにより鼾防止プログラムが設定されるとともに、前記無線通信モジュールに伝送し、かつ、前記無線通信モジュールは前記インテリジェント端末に鼾防止機能の応用状況を送信する無線通信モジュール（３）と、を含む、電動ベッド。
【請求項２】
ユーザが鼾をかいていることの記録を記録して前記無線通信モジュールに送信するとともに、前記無線通信モジュールがインテリジェント端末に送信して読み取らせる記録モジュールを更に含むことを特徴とする請求項１に記載の電動ベッド。
【請求項３】
前記駆動モジュールに電気的に接続されるセンサを更に含み、ユーザがベッド上にいることを前記センサが検知すると、前記モニタリングモジュールを励起し、ユーザがベッド上にいないことを前記センサが検知すると、前記モニタリングモジュールを不活化することを特徴とする請求項１に記載の電動ベッド。
【請求項４】
前記センサは、前記複数枚のベッドパネル上に設置される薄膜圧力センサであることを特徴とする請求項３に記載の電動ベッド。
【請求項５】
前記鼾防止位置は、頭部ベッドパネルの立ち上げ５°〜２５°の間であることを特徴とする請求項１に記載の電動ベッド。
【請求項６】
前記鼾防止位置は、頭部ベッドパネルの立ち上げ１５°であることを特徴とする請求項５に記載の電動ベッド。
【請求項７】
前記モニタリングモジュールは、前記無線通信モジュールに有線接続されて、双方向で通信し、前記無線通信モジュールは、前記駆動モジュールと有線接続され、シリアルポート通信が採用されることを特徴とする請求項１に記載の電動ベッド。
【請求項８】
使用者が鼾をかいている状況を最も効果的に緩和させる鼾防止位置を記録することに適した学習モジュールを更に含むことを特徴とする請求項１に記載の電動ベッド。
【請求項９】
前記モニタリングモジュール中にクロックが集積されていることを特徴とする請求項１に記載の電動ベッド。
【請求項１０】
前記駆動モジュール中にクロックが集積されていることを特徴とする請求項１に記載の電動ベッド。
【発明の詳細な説明】
【技術分野】
【０００１】
本実用新案は電動ベッドに関するものであり、特にインテリジェント鼾防止機能を有する電動ベッドである。
【背景技術】
【０００２】
夜間に鼾をかいていると複数種の危害がもたらされ、軽い場合は他者の睡眠に影響を及ぼし、重い場合は鼾をかいている個人の身体の健康に影響を及ぼし、常見される潜在的なリスクには酸素欠乏、呼吸一時停止が含まれ、更に人体内におけるホルモン分泌の撹乱、及び心血管疾患を引き起こすこともある。
【０００３】
そのため、人々は鼾防止機能を有する電動ベッドを開発しており、例えばＣＮ２０１２２０２１２０３４では機械的なクランクアームを有する電動ベッドが公開されており、音声収集器を介して使用者の睡眠時における呼吸音及び鼾音を収集するとともに、インテリジェントセンサにより音声を分析及び処理して、使用者の睡眠姿勢を調節する。
【０００４】
しかし、既存の電動ベッドは使用者が鼾をかいていることによりもたらされるリスクを低減することができるのみであり、使用者の自身の身体状況に対する理解の助けにはならない。
【０００５】
また、既存の電動ベッドの鼾防止プログラムはメーカーが出荷前にすでに設定済みであり、使用者が自身の状況に応じて調節することができない。
【０００６】
また、既存の電動ベッドはユーザが電動ベッド上にいるか否かを判別することもできず、常に鼾防止機能を起動しており、電気エネルギを浪費している。
【発明の概要】
【０００７】
ここで注意すべきは、本実用新案の目的は、背景技術においてすでに判明している１つまたは複数の欠点を克服するために、インテリジェント鼾防止機能を有する電動ベッドを提供することにあり、それは、使用者が自身の身体状況を把握するために、鼾防止機能の応用状況を使用者が使用するインテリジェント端末中に送信することができる点である。
【０００８】
この目的を達成するため、本実用新案に基づきインテリジェント鼾防止機能を有する電動ベッドが提供されており、以下の技術案により実現される。
【０００９】
電動ベッドであって、ベッド体と、少なくともベッド頭部に近接した側の頭部ベッドパネルが反転可能な複数枚のベッドパネルと、前記頭部ベッドパネルを反転させるように、一端が前記頭部ベッドパネルにヒンジ接続され、他端が前記ベッド体にヒンジ接続される駆動器と、圧力センサを含み、ユーザが鼾をかいている際に発生する規則的な圧力変化を通してユーザが鼾をかいているか否かを判断するモニタリングモジュールと、前記モニタリングモジュール及び前記駆動器に電気的に接続され、ユーザが鼾をかいていることを前記モニタリングモジュールが検知すると、前記駆動器を駆動して頭部ベッドパネルを鼾防止位置まで反転させ、鼾症状が減弱するかまたは停止した後、前記駆動器を駆動して頭部ベッドパネルを原位置に復帰させる駆動モジュールと、前記駆動モジュールに電気的に接続される無線通信モジュールであって、前記無線通信モジュールはインテリジェント端末に無線接続され、前記インテリジェント端末は、ユーザにより鼾防止プログラムが設定されるとともに、前記無線通信モジュールに伝送し、かつ、前記無線通信モジュールは前記インテリジェント端末に鼾防止機能の応用状況を送信する無線通信モジュールと、を含む。
【００１０】
上記設置により、当該電動ベッドは、モニタリングモジュールを介して使用者が鼾をかいているか否かを分析することができ、ユーザが鼾をかいている場合は、駆動モジュールが駆動器を駆動して頭部ベッドパネルを一定角度反転させて、使用者の鼾状況を緩和させる。また、本電動ベッドは無線通信モジュールを含んでいるため、電動ベッドの鼾防止プログラムの応用状況を使用者に送信して、使用者に自身の健康状態を把握させ、疾病予防効果を発揮することができる。
【００１１】
更に、前記電動ベッドは、ユーザが鼾をかいていることの記録を記録して前記無線通信モジュールに送信するとともに、前記無線通信モジュールがインテリジェント端末に送信して読み取らせる記録モジュールを更に含む。当該電動ベッドは記録モジュールを有しているため、リアルタイムで鼾防止プログラムの応用状況をインテリジェント端末に送信することができない場合、例えば、インテリジェント端末が無線通信モジュールに接続されている場合、先ず記録モジュール中に保存し、更に送信可能な時を待って改めてインテリジェント端末に送信することができる。
【００１２】
更に、前記電動ベッドは、前記駆動モジュールに電気的に接続されるセンサを更に含み、ユーザがベッド上にいることを前記センサが検知すると、前記モニタリングモジュールを励起し、ユーザがベッド上にいないことを前記センサが検知すると、前記モニタリングモジュールを不活化する。そのため、電力節減効果を発揮する。
【００１３】
更に、前記センサは、前記複数枚のベッドパネル上に設置される薄膜圧力センサである。そのため、使用者がベッド上にいるか否かが効果的に検出される。
【００１４】
更に、使用者の呼吸器角度を改善し、鼾状況を緩和するために、前記鼾防止位置は、頭部ベッドパネルの立ち上げ５°〜２５°の間である。
【００１５】
好適には、前記鼾防止位置は、頭部ベッドパネルの立ち上げ１５°である。
【００１６】
更に、前記モニタリングモジュールは、前記無線通信モジュールに有線接続されて、双方向で通信し、前記無線通信モジュールは、前記駆動モジュールと有線接続され、シリアルポート通信が採用される。
【００１７】
更に、前記電動ベッドは、使用者が鼾をかいている状況を最も効果的に緩和させる鼾防止位置を記録することに適した学習モジュールを更に含む。具体的には、駆動モジュールが駆動器を駆動して頭部ベッドパネルの角度を改変すると、モニタリングモジュールは依然として使用者の鼾状況をリアルタイムでモニタリングするとともに、鼾状況が改善されない場合は駆動器を微調整し、同時に学習モジュールを起動して、モニタリングモジュールが使用者の鼾状態が改善されたことを検知すると、現在の鼾防止位置のパラメータを学習モジュールに伝送し、次回の使用のために学習する。
【００１８】
更に、鼾防止プログラムのスタート時間を設定することができるように、前記モニタリングモジュール中にクロックが集積されている。
【００１９】
更に、鼾防止プログラムのスタート時間を設定することができるように、前記駆動モジュール中にクロックが集積されている。
【００２０】
上記配置により、本実用新案の電動ベッドは、ユーザの制御を必要とせず、センサがユーザの鼾を検知すると、自動的に指令を電動ベッドに送信して、それを鼾防止位置に到達させ、鼾症状が減弱するかまたは停止した後は、自動的に指令を電動ベッドに送信して、それが寝そべり位置になるように調整する。かつ、当該電動ベッドは、無線通信モジュールを介して鼾防止プログラムの応用状況を使用者のインテリジェント端末中にフィードバックして、使用者に自身の健康状態を把握させることができる。かつ、当該電動ベッドは、更に、記録モジュール、センサ及び学習モジュールなどの付加的モジュールを有し、当該電動ベッドのインテリジェント化の程度を高め、更に既存の鼾防止機能を有する電動ベッドの不足点を改善することもできる。
【００２１】
ここで理解すべきは、本実用新案においては、明らかな矛盾または互換性がない場合を除き、すべての特徴、変形方式及び／または具体的な実施例を多種類の組合せに応じて互いに結合することができる点である。
【００２２】
以下の非制限的な説明としての具体的な実施例を閲読するとともに、添付図面を結合することにより、本実用新案のその他の特徴及び利点は自明のものとなる。
【図面の簡単な説明】
【００２３】
【図１】本実用新案に基づくインテリジェント鼾防止機能を有する電動ベッドの構造概略図である。
【図２】図１に示されているインテリジェント鼾防止機能の動作の流れ図である。
【発明を実施するための形態】
【００２４】
ここで理解すべきは、上記添付図面は真実の比率ではなく、本実用新案の基本原理を説明するための複数種の好適な特徴の簡略図に過ぎない点である。本実用新案で公開されている設計面の特徴、例えば、サイズ、方向、位置決め及び形状は、具体的な応用及び使用環境に応じて確定される。
【００２５】
以下においては、実施例及び添付図面に基づき本実用新案について詳細に説明する。それらの添付図面において、同一の参考番号は、すべての添付図面において本実用新案の同一または等価な部品を指している。
【００２６】
図１を参照すると、そこには本実用新案の実施例に基づく電動ベッドが示されている。当該電動ベッドは、ベッド体及び複数枚のベッドパネルを含み、それらのベッドパネルは、少なくとも頭部ベッドパネル、腰部ベッドパネル、大腿下腿部ベッドパネル、足部ベッドパネルを含み、それらのベッドパネルの間はヒンジにより相互にヒンジ接続される。頭部ベッドパネルの下方にそれぞれ頭部ベッドパネルが反転するように駆動する駆動器及び駆動器に協調して動作する連接棒機構が設置される。頭部ベッドパネルが反転する際、その連接棒機構はそれぞれ所定の行程内においてガイド作用を発揮するとともに、頭部ベッドパネルが所定の位置まで移動した後には支持作用を発揮して、ユーザが所定の位置まで反転したベッドパネル上に安全かつ確実に寝そべることを保証する。
【００２７】
電動ベッド中に、モニタリングモジュール１及び駆動モジュール２を更に含み、駆動モジュールは頭部ベッドパネルを駆動する駆動器及びモニタリングモジュールに電気的に接続され、鼾防止プログラムに基づき駆動器の動作を制御し、鼾防止プログラムに設定されている頭部ベッドパネルの立ち上げ角度は５°〜２５°の間、好適には１５°である。
【００２８】
また、本電動ベッドのベッドパネル上に薄膜圧力センサが更に敷設され、好適には各ベッドパネル上にいずれも薄膜圧力センサが敷設される。薄膜圧力センサは駆動モジュールに電気的に接続され、駆動モジュールはユーザがベッドを離れているか否かを確定するために、リアルタイムでモニタリングされた圧力値を駆動モジュールに入力する。当該駆動モジュールは、ユーザがベッドを離れていないことを薄膜圧力センサが検知した場合に限って駆動モジュールが鼾防止プログラムを励起することが許容されるように設定され、ユーザがすでにベッドを離れていることを薄膜圧力センサが検知した場合は、駆動モジュールが鼾防止プログラムを励起することは許容されない。
【００２９】
電動ベッド中に、駆動モジュールに電気的に接続される無線通信モジュール３を更に含み、当該無線通信モジュールは、無線接続方式、例えば、Ｗｉ−Ｆｉ、ブルートゥース（登録商標）、赤外線、ＺｉｇＢｅｅ（登録商標）、２Ｇ、３Ｇ、４Ｇまたはインターネットなどの方式で、外部のインテリジェント端末に接続することに適している。ユーザはインテリジェント端末を介して鼾防止プログラムを設定するとともに、電動ベッドの無線通信モジュールに伝送し、その後、前記インテリジェント端末が送信した鼾防止プログラムを無線通信モジュールが駆動モジュールに伝送し、駆動モジュールが設定されたプログラムに基づき駆動器を制御する。
【００３０】
典型的に、インテリジェント端末は、鼾をかいている場合の頭部ベッドパネルの立ち上げ角度及び立ち上げ高さを設定することができる。
【００３１】
具体的に、モニタリングモジュールは、ユーザが鼾をかいている際に発生する規則的な圧力変化に応じてユーザが鼾をかいていることを判断する圧力センサを含み、当該モニタリングモジュールは前記駆動モジュールに電気的に接続され、駆動モジュールは、所定のプログラムに基づきユーザが鼾をかいている場合に、予め設定された頭部ベッドパネルの立ち上げ角度となるように起動し、ユーザの頭部角度を改変して、ユーザの鼾症状を軽減する。鼾防止方式には、主に頭部ベッドパネルを一定角度だけ反転させるかまたは一定の高さまで立ち上げて、使用者の喉部気流をよりスムーズに通過させる助けとすることが含まれる。
【００３２】
本実施例において、モニタリングモジュールは、無線通信モジュールに有線接続され、双方向で通信する。
【００３３】
無線通信モジュールは、Ｗｉ−Ｆｉモジュールであり、状況に応じてブルートゥースモジュール、赤外線モジュール、ＺｉｇＢｅｅモジュール、２Ｇモジュール、３Ｇモジュール、４Ｇモジュールまたはインターネットネットワーク化モジュールなどとして、インテリジェント端末と無線接続することもできる。無線通信モジュールは、インテリジェント端末が送信した制御信号を受信するとともに、駆動モジュールに転送し、実行すべき操作を駆動モジュールにより確定することに適している。
【００３４】
オプションとして、無線通信モジュールは、駆動モジュールの状態情報をインテリジェント端末にフィードバックし、無線通信モジュールは駆動モジュールに有線接続され、シリアルポート通信が採用される。
【００３５】
インテリジェント端末は、携帯電話、タブレットＰＣ、ノートパソコンなどを含み、インテリジェント端末には、電動ベッドを制御するＡｐｐアプリケーションプログラム及び／またはソフトウェアがインストールされる。インテリジェント端末は、インストールされているＡｐｐアプリケーションプログラム及び／またはソフトウェアを介してインテリジェント端末内部の無線モジュールが指令を搭載した制御信号を発射するように制御し、インテリジェント端末の無線モジュールの類型は電動ベッドの無線通信モジュールの類型と同一で、Ｗｉ−Ｆｉモジュールであり、状況に応じてブルートゥースモジュール、赤外線モジュール、ＺｉｇＢｅｅモジュールなどとすることもできる。この種のＡｐｐアプリケーションプログラム及び／またはソフトウェアは、ヒューマンマシン相互インターフェイスを含み、一方においては、ユーザが選択するための制御指令項目選択インターフェイスを含み、他方においては、ユーザに第１測定値情報を提供する表示インターフェイスを含む。ユーザは、クリック、ダブルクリック、スライド、タッチ、数値入力により制御すべき機能を選択／設定することができる。
【００３６】
ユーザはインテリジェント端末を介して頭部ベッドパネルの立ち上げ角度及び立ち上げ高さを設定することができる。
【００３７】
変形例として、電動ベッドは、記録モジュールを更に含むことができ、記録モジュールは、モニタリングモジュール及び駆動モジュールに電気的に接続され、モニタリングモジュール及び駆動モジュールが協調して動作しているか否かを記録するために用いられ、同時に、更にユーザの睡眠状態を記録することもできる。具体的に、モニタリングモジュール及び駆動モジュールには、それぞれ各時間の動作状態を記録するために、クロックを集積することができる。また、当該記録モジュールは、更に無線通信モジュールに電気的に接続され、記録されたデータをインテリジェント端末に伝送して使用者が自身の睡眠状態を理解するために提供される。
【００３８】
変形例として、電動ベッドは、学習モジュールを更に含むことができ、当該学習モジュールは、モニタリングモジュール及び駆動モジュールに電気的に接続され、ユーザの鼾症状を最も効果的に軽減する頭部ベッドパネルの反転角度及び立ち上げ高さを記憶するために用いられ、かつ、応用過程において、ユーザの睡眠の質を高めるために、より効果的な角度位置を徐々に学習することに適している。具体的に、モニタリングモジュール及び駆動モジュールには、それぞれ各時間におけるユーザの鼾状況並びに頭部ベッドパネルの反転角度及び立ち上げ高さを記録するために、クロックを集積することができ、一定の時間内に鼾状況が好転しない場合は、駆動モジュールが駆動器を駆動して頭部ベッドパネルの反転角度及び立ち上げ高さを微調整して、ユーザの鼾症状を最も効果的に緩和する角度及び高さを探し出す。
【００３９】
図２には、本実用新案の電動ベッドがインテリジェント鼾防止機能を実行する際の動作ステップの流れ図が示されている。
【００４０】
ステップ１：ユーザが鼾防止設定をインテリジェント端末に記憶させる。
【００４１】
ステップ２：インテリジェント端末が無線通信方式を通して鼾防止設定を無線通信モジュールに伝送する。
【００４２】
ステップ３：ユーザが鼾をかいていることをモニタリングモジュールが検知すると、ユーザの設定に基づき、ベッド体を鼾防止位置に調整する。
【００４３】
ステップ４：鼾症状が減弱するかまたは停止すると、ベッド体を寝そべり位置に調整する。
【００４４】
以上の実施例は実例に過ぎず、本実用新案の範囲に対して限定作用は発揮しない。当業者であれば、それを基礎として、本実用新案が権利を要求する保護範囲内において、同一の機能を実現するその他の実施形態を想到することもできる。
【００４５】
当業者であれば、複数種の実施例及び複数種の変形や改良を把握している。特に、ここで明確にすべきは、明らかな矛盾または互換性がない場合を除き、本実用新案における上記特徴、変形方式及び／または具体的な実施例は相互に結合することができる点である。すべてのそれらの実施例及び変形や改良は、いずれも本実用新案の保護範囲に属しているものとする。
【図１】
2019504691.tif 000003
【図２】
2019504691.tif 000004
【手続補正書】
【提出日】平成30年10月1日(2018.10.1)
【手続補正１】
【補正対象書類名】明細書
【補正対象項目名】０００１
【補正方法】変更
【補正の内容】
【０００１】
本発明は電動ベッドに関するものであり、特にインテリジェント鼾防止機能を有する電動ベッドである。
【手続補正２】
【補正対象書類名】明細書
【補正対象項目名】０００７
【補正方法】変更
【補正の内容】
【０００７】
ここで注意すべきは、本発明の目的は、背景技術においてすでに判明している１つまたは複数の欠点を克服するために、インテリジェント鼾防止機能を有する電動ベッドを提供することにあり、それは、使用者が自身の身体状況を掌握するために、鼾防止機能の応用状況を使用者が使用するインテリジェント端末中に送信することができる点である。
【手続補正３】
【補正対象書類名】明細書
【補正対象項目名】０００８
【補正方法】変更
【補正の内容】
【０００８】
この目的を達成するため、本発明に基づきインテリジェント鼾防止機能を有する電動ベッドが提供されており、以下の技術案により実現される。
【手続補正４】
【補正対象書類名】明細書
【補正対象項目名】００２０
【補正方法】変更
【補正の内容】
【００２０】
上記配置により、本発明の電動ベッドは、ユーザの制御を必要とせず、センサがユーザの鼾を検知すると、自動的に指令を電動ベッドに送信して、それを鼾防止位置に到達させ、鼾症状が減弱するかまたは停止した後は、自動的に指令を電動ベッドに送信して、それが寝そべり位置になるように調整する。かつ、当該電動ベッドは、無線通信モジュールを介して鼾防止プログラムの応用状況を使用者のインテリジェント端末中にフィードバックして、使用者に自身の健康状態を掌握させることができる。かつ、当該電動ベッドは、更に、記録モジュール、センサ及び学習モジュールなどの付加的モジュールを有し、当該電動ベッドのインテリジェント化の程度を高め、更に現有の鼾防止機能を有する電動ベッドの不足点を改善することもできる。
【手続補正５】
【補正対象書類名】明細書
【補正対象項目名】００２１
【補正方法】変更
【補正の内容】
【００２１】
ここで理解すべきは、本発明においては、明らかな矛盾または互換性がない場合を除き、すべての特徴、変形方式及び／または具体的な実施例を多種類の組合せに応じて互いに結合することができる点である。
【手続補正６】
【補正対象書類名】明細書
【補正対象項目名】００２２
【補正方法】変更
【補正の内容】
【００２２】
以下の非制限的な説明としての具体的な実施例を閲読するとともに、添付図面を結合することにより、本発明のその他の特徴及び利点は自明のものとなる。
【手続補正７】
【補正対象書類名】明細書
【補正対象項目名】００２３
【補正方法】変更
【補正の内容】
【００２３】
【図１】本発明に基づくインテリジェント鼾防止機能を有する電動ベッドの構造概略図である。
【図２】図１に示されているインテリジェント鼾防止機能の動作の流れ図である。
【手続補正８】
【補正対象書類名】明細書
【補正対象項目名】００２４
【補正方法】変更
【補正の内容】
【００２４】
ここで理解すべきは、上記添付図面は真実の比率ではなく、本発明の基本原理を説明するための複数種の好適な特徴の簡略図に過ぎない点である。本発明で公開されている設計面の特徴、例えば、サイズ、方向、位置決め及び形状は、具体的な応用及び使用環境に応じて確定される。
【手続補正９】
【補正対象書類名】明細書
【補正対象項目名】００２５
【補正方法】変更
【補正の内容】
【００２５】
以下においては、実施例及び添付図面に基づき本発明について詳細に説明する。それらの添付図面において、同一の参考番号は、すべての添付図面において本発明の同一または等価な部品を指している。
【手続補正１０】
【補正対象書類名】明細書
【補正対象項目名】００２６
【補正方法】変更
【補正の内容】
【００２６】
図１を参照すると、そこには本発明の実施例に基づく電動ベッドが示されている。当該電動ベッドは、ベッド体及び複数枚のベッドパネルを含み、それらのベッドパネルは、少なくとも頭部ベッドパネル、腰部ベッドパネル、大腿下腿部ベッドパネル、足部ベッドパネルを含み、それらのベッドパネルの間はヒンジにより相互にヒンジ接続される。頭部ベッドパネルの下方にそれぞれ頭部ベッドパネルが反転するように駆動する駆動器及び駆動器に協調して動作する連接棒機構が設置される。頭部ベッドパネルが反転する際、その連接棒機構はそれぞれ所定の行程内においてガイド作用を発揮するとともに、頭部ベッドパネルが所定の位置まで移動した後には支持作用を発揮して、ユーザが所定の位置まで反転したベッドパネル上に安全かつ確実に寝そべることを保証する。
【手続補正１１】
【補正対象書類名】明細書
【補正対象項目名】００３９
【補正方法】変更
【補正の内容】
【００３９】
図２には、本発明の電動ベッドがインテリジェント鼾防止機能を実行する際の動作ステップの流れ図が示されている。
【手続補正１２】
【補正対象書類名】明細書
【補正対象項目名】００４４
【補正方法】変更
【補正の内容】
【００４４】
以上の実施例は実例に過ぎず、本発明の範囲に対して限定作用は発揮しない。当業者であれば、それを基礎として、本発明が権利を要求する保護範囲内において、同一の機能を実現するその他の実施形態を想到することもできる。
【手続補正１３】
【補正対象書類名】明細書
【補正対象項目名】００４５
【補正方法】変更
【補正の内容】
【００４５】
当業者であれば、複数種の実施例及び複数種の変形や改良を掌握している。特に、ここで明確にすべきは、明らかな矛盾または互換性がない場合を除き、本発明における上記特徴、変形方式及び／または具体的な実施例は相互に結合することができる点である。すべてのそれらの実施例及び変形や改良は、いずれも本発明の保護範囲に属しているものとする。
【国際調査報告】
2019504691.tif 000005
2019504691.tif 000006
2019504691.tif 000007
2019504691.tif 000008
2019504691.tif 000009